(57)【要約】【課題】  撮影時に速度を優先するか、精度を優先するかの設定と、ユーザの意図が食い違うことがあった。【解決手段】  精度を優先して撮影すべき撮影モードが選択されている場合には、速度優先の撮影が設定されていても、精度優先の設定で撮影を行う。【選択図】  図４
2005117242.tif 000002
【特許請求の範囲】
【請求項１】
速度を優先した撮影処理を行う第１の処理モードと、精度を優先した撮影処理を行う第２の処理モードのいずれかが選択可能な撮像装置であって、
複数の撮影モードのうち、設定されている撮影モードを判定する第１の判定手段と、
前記第１の処理モードと前記第２の処理モードのいずれが設定されているかを判定する第２の判定手段と、
前記第２の処理モードを用いて撮影を行うべき撮影モードを記憶する記憶手段と、
設定されている処理モードと撮影モードに基づいて撮影処理を行う撮影手段とを有し、
前記撮影手段が、前記第１の処理モードが設定されている際に、前記第２の処理モードを用いて撮影を行うべき撮影モードでの撮影が指示された場合、前記第２の処理モードが設定されているものとして撮影処理を行うことを特徴とする撮像装置。
【請求項２】
速度を優先した撮影処理を行う第１の処理モードと、精度を優先した撮影処理を行う第２の処理モードのいずれかが選択可能な撮像装置であって、
複数の撮影モードのうちいずれかを設定するための撮影モード設定手段と、
前記第１の処理モードと前記第２の処理モードのいずれが設定されているかを判定する第２の判定手段と、
前記第２の処理モードを用いて撮影を行うべき撮影モードを記憶する記憶手段と、
前記第１の処理モードが設定されている際には、前記撮影モード設定手段による、前記第２の処理モードを用いて撮影を行うべき撮影モードの設定を禁止する設定禁止手段を有することを特徴とする撮像装置。
【請求項３】
前記第２の処理モードを用いて撮影を行うべき撮影モードが、セルフタイマー撮影モード、スティッチ撮影モード、動画撮影モード、マクロ撮影モード、インターバル撮影、３Ｄ撮影モードのいずれか１つ以上を含むことを特徴とする請求項１又は請求項２記載の撮像装置。
【請求項４】
速度を優先した撮影処理を行う第１の処理モードと、精度を優先した撮影処理を行う第２の処理モードのいずれかが選択可能な撮像装置であって、
複数の撮影モードのうち、設定されている撮影モードを判定する第１の判定手段と、
前記第１の処理モードと前記第２の処理モードのいずれが設定されているかを判定する第２の判定手段と、
前記第１の処理モードを用いて撮影を行うべき撮影モードを記憶する記憶手段と、
設定されている処理モードと撮影モードに基づいて撮影処理を行う撮影手段とを有し、
前記撮影手段が、前記第２の処理モードが設定されている際に、前記第１の処理モードを用いて撮影を行うべき撮影モードでの撮影が指示された場合、前記第１の処理モードが設定されているものとして撮影処理を行うことを特徴とする撮像装置。
【請求項５】
速度を優先した撮影処理を行う第１の処理モードと、精度を優先した撮影処理を行う第２の処理モードのいずれかが選択可能な撮像装置であって、
複数の撮影モードのうちいずれかを設定するための撮影モード設定手段と、
前記第１の処理モードと前記第２の処理モードのいずれが設定されているかを判定する第２の判定手段と、
前記第１の処理モードを用いて撮影を行うべき撮影モードを記憶する記憶手段と、
前記第２の処理モードが設定されている際には、前記撮影モード設定手段による、前記第１の処理モードを用いて撮影を行うべき撮影モードの設定を禁止する設定禁止手段を有することを特徴とする撮像装置。
【請求項６】
前記第１の処理モードを用いて撮影を行うべき撮影モードが、連写モードであることを特徴とする請求項４又は請求項５記載の撮像装置。
【請求項７】
速度を優先した撮影処理を行う第１の処理モードと、精度を優先した撮影処理を行う第２の処理モードのいずれかが選択可能な撮像装置の制御方法であって、
複数の撮影モードのうち、設定されている撮影モードを判定する第１の判定ステップと、
前記第１の処理モードと前記第２の処理モードのいずれが設定されているかを判定する第２の判定ステップと、
設定されている処理モードと撮影モードに基づいて撮影処理を行う撮影ステップとを有し、
前記撮影ステップが、前記第１の処理モードが設定されている際に、予め定められた前記第２の処理モードを用いて撮影を行うべき撮影モードでの撮影が指示された場合、前記第２の処理モードが設定されているものとして撮影処理を行うことを特徴とする撮像装置の制御方法。
【請求項８】
速度を優先した撮影処理を行う第１の処理モードと、精度を優先した撮影処理を行う第２の処理モードのいずれかが選択可能な撮像装置の制御方法であって、
複数の撮影モードのうちいずれかを設定するための撮影モード設定ステップと、
前記第１の処理モードと前記第２の処理モードのいずれが設定されているかを判定する第２の判定ステップと、
前記第１の処理モードが設定されている際には、前記撮影モード設定ステップによる、予め定められた前記第２の処理モードを用いて撮影を行うべき撮影モードの設定を禁止する設定禁止ステップを有することを特徴とする撮像装置の制御方法。
【請求項９】
速度を優先した撮影処理を行う第１の処理モードと、精度を優先した撮影処理を行う第２の処理モードのいずれかが選択可能な撮像装置の制御方法であって、
複数の撮影モードのうち、設定されている撮影モードを判定する第１の判定ステップと、
前記第１の処理モードと前記第２の処理モードのいずれが設定されているかを判定する第２の判定ステップと、
設定されている処理モードと撮影モードに基づいて撮影処理を行う撮影ステップとを有し、
前記撮影ステップが、前記第２の処理モードが設定されている際に、予め定められた前記第１の処理モードを用いて撮影を行うべき撮影モードでの撮影が指示された場合、前記第１の処理モードが設定されているものとして撮影処理を行うことを特徴とする撮像装置の制御方法。
【請求項１０】
速度を優先した撮影処理を行う第１の処理モードと、精度を優先した撮影処理を行う第２の処理モードのいずれかが選択可能な撮像装置であって、
複数の撮影モードのうちいずれかを設定するための撮影モード設定ステップと、
前記第１の処理モードと前記第２の処理モードのいずれが設定されているかを判定する第２の判定ステップと、
前記第２の処理モードが設定されている際には、前記撮影モード設定ステップによる、予め定められた前記第１の処理モードを用いて撮影を行うべき撮影モードの設定を禁止する設定禁止ステップを有することを特徴とする撮像装置の制御方法。
【発明の詳細な説明】
【技術分野】
【０００１】
本発明は、静止画像や動画像を撮影する撮像装置及びその制御方法に関する。
【背景技術】
【０００２】
従来、メモリ素子を有するメモリカードを記録媒体として、静止画像や動画像を記録、再生、通信する電子カメラ等の撮像装置が市販されており、撮像素子から電荷信号を読み出し、Ａ／Ｄ変換後に画像処理を行い、測距・測光処理を行うことが実現されている。
【０００３】
【特許文献１】特開平６−２６５９８７号公報
【発明の開示】
【発明が解決しようとする課題】
【０００４】
一般に、写真撮影においては、即時性（シャッターチャンスに強い。撮影したいときにすぐ撮影できること）と、高精度な撮影画像（露出精度や合焦精度が高いこと）が求められている。
【０００５】
従来、このような撮像装置においては、撮影時にシャッターを押下（全押し）した場合、シャッターが半押し状態になってからオートフォーカス用露出制御や、オートフォーカス制御、露出制御、ホワイトバランス制御などを行い、それらが終了してからシャッターを開いて撮影を行うため、レリーズタイムラグが生じ、写真撮影の即時性に問題があった。
【０００６】
同様に即時性が損なわれる問題としては赤目緩和処理によるプリ発光動作による問題が知られており、例えば特許文献１では通常の撮影では赤目緩和処理を行い、シャッターの押し込み速度が所定時間よりも早い場合には、赤目緩和処理を行わずに撮影を行うようにしたカメラが提案されている。
【０００７】
一方で、演算処理を簡略化して即時性を向上する方法についても提案されており、速度（即時性）を優先した撮影モードと、精度を優先した撮影モードとをユーザが切替設定可能とした撮像装置も存在するが、手動での設定であり、ユーザが実際に撮影を行う際、撮影のニーズに合った撮影モードが設定されているとは限らない。そのため、ユーザの意図と設定された撮影モードが食い違うことがあった。従って、撮影前にモードをその都度確認する必要があり、逆に煩わしい場合もあった。
【０００８】
本発明はこのような従来技術の問題点に鑑みなされたものであり、ユーザが意識することなく、適切な撮影モードで撮影可能な撮像装置及びその制御方法を提供することを主な目的とする。
【課題を解決するための手段】
【０００９】
すなわち、本発明の要旨は、速度を優先した撮影処理を行う第１の処理モードと、精度を優先した撮影処理を行う第２の処理モードのいずれかが選択可能な撮像装置であって、複数の撮影モードのうち、設定されている撮影モードを判定する第１の判定手段と、第１の処理モードと第２の処理モードのいずれが設定されているかを判定する第２の判定手段と、第２の処理モードを用いて撮影を行うべき撮影モードを記憶する記憶手段と、設定されている処理モードと撮影モードに基づいて撮影処理を行う撮影手段とを有し、撮影手段が、第１の処理モードが設定されている際に、第２の処理モードを用いて撮影を行うべき撮影モードでの撮影が指示された場合、第２の処理モードが設定されているものとして撮影処理を行うことを特徴とする撮像装置に存する。
【００１０】
また、本発明の別の要旨は、速度を優先した撮影処理を行う第１の処理モードと、精度を優先した撮影処理を行う第２の処理モードのいずれかが選択可能な撮像装置であって、複数の撮影モードのうちいずれかを設定するための撮影モード設定手段と、第１の処理モードと第２の処理モードのいずれが設定されているかを判定する第２の判定手段と、第２の処理モードを用いて撮影を行うべき撮影モードを記憶する記憶手段と、第１の処理モードが設定されている際には、撮影モード設定手段による、第２の処理モードを用いて撮影を行うべき撮影モードの設定を禁止する設定禁止手段を有することを特徴とする撮像装置に存する。
【００１１】
また、本発明の別の要旨は、速度を優先した撮影処理を行う第１の処理モードと、精度を優先した撮影処理を行う第２の処理モードのいずれかが選択可能な撮像装置であって、複数の撮影モードのうち、設定されている撮影モードを判定する第１の判定手段と、第１の処理モードと第２の処理モードのいずれが設定されているかを判定する第２の判定手段と、第１の処理モードを用いて撮影を行うべき撮影モードを記憶する記憶手段と、設定されている処理モードと撮影モードに基づいて撮影処理を行う撮影手段とを有し、撮影手段が、第２の処理モードが設定されている際に、第１の処理モードを用いて撮影を行うべき撮影モードでの撮影が指示された場合、第１の処理モードが設定されているものとして撮影処理を行うことを特徴とする撮像装置に存する。
【００１２】
また、本発明の別の要旨は、速度を優先した撮影処理を行う第１の処理モードと、精度を優先した撮影処理を行う第２の処理モードのいずれかが選択可能な撮像装置であって、複数の撮影モードのうちいずれかを設定するための撮影モード設定手段と、第１の処理モードと第２の処理モードのいずれが設定されているかを判定する第２の判定手段と、第１の処理モードを用いて撮影を行うべき撮影モードを記憶する記憶手段と、第２の処理モードが設定されている際には、撮影モード設定手段による、第１の処理モードを用いて撮影を行うべき撮影モードの設定を禁止する設定禁止手段を有することを特徴とする撮像装置に存する。
【００１３】
また、本発明の別の要旨は、速度を優先した撮影処理を行う第１の処理モードと、精度を優先した撮影処理を行う第２の処理モードのいずれかが選択可能な撮像装置の制御方法であって、複数の撮影モードのうち、設定されている撮影モードを判定する第１の判定ステップと、第１の処理モードと第２の処理モードのいずれが設定されているかを判定する第２の判定ステップと、設定されている処理モードと撮影モードに基づいて撮影処理を行う撮影ステップとを有し、撮影ステップが、第１の処理モードが設定されている際に、予め定められた第２の処理モードを用いて撮影を行うべき撮影モードでの撮影が指示された場合、第２の処理モードが設定されているものとして撮影処理を行うことを特徴とする撮像装置の制御方法に存する。
【００１４】
また、本発明の別の要旨は、速度を優先した撮影処理を行う第１の処理モードと、精度を優先した撮影処理を行う第２の処理モードのいずれかが選択可能な撮像装置の制御方法であって、複数の撮影モードのうちいずれかを設定するための撮影モード設定ステップと、第１の処理モードと第２の処理モードのいずれが設定されているかを判定する第２の判定ステップと、第１の処理モードが設定されている際には、撮影モード設定ステップによる、予め定められた第２の処理モードを用いて撮影を行うべき撮影モードの設定を禁止する設定禁止ステップを有することを特徴とする撮像装置の制御方法に存する。
【００１５】
また、本発明の別の要旨は、速度を優先した撮影処理を行う第１の処理モードと、精度を優先した撮影処理を行う第２の処理モードのいずれかが選択可能な撮像装置の制御方法であって、複数の撮影モードのうち、設定されている撮影モードを判定する第１の判定ステップと、第１の処理モードと第２の処理モードのいずれが設定されているかを判定する第２の判定ステップと、設定されている処理モードと撮影モードに基づいて撮影処理を行う撮影ステップとを有し、撮影ステップが、第２の処理モードが設定されている際に、予め定められた第１の処理モードを用いて撮影を行うべき撮影モードでの撮影が指示された場合、第１の処理モードが設定されているものとして撮影処理を行うことを特徴とする撮像装置の制御方法に存する。
【００１６】
また、本発明の別の要旨は、速度を優先した撮影処理を行う第１の処理モードと、精度を優先した撮影処理を行う第２の処理モードのいずれかが選択可能な撮像装置であって、複数の撮影モードのうちいずれかを設定するための撮影モード設定ステップと、第１の処理モードと第２の処理モードのいずれが設定されているかを判定する第２の判定ステップと、第２の処理モードが設定されている際には、撮影モード設定ステップによる、予め定められた第１の処理モードを用いて撮影を行うべき撮影モードの設定を禁止する設定禁止ステップを有することを特徴とする撮像装置の制御方法に存する。
【発明の効果】
【００１７】
本発明によれば、ユーザが意識することなく、適切な撮影モードでの撮影が可能となる効果が得られる。
【発明を実施するための最良の形態】
【００１８】
（第１の実施形態）
以下、図面を参照して本発明をその好適な実施形態に基づき詳細に説明する。
＜撮像装置の構成＞
図１は、本実施形態に係る撮像装置１００の全体構成例を示すブロック図である。
１０は撮影レンズ、１２は絞り機能を備えるシャッター、１４は光学像を電気信号に変換する、ＣＣＤやＣＭＯＳセンサ等の撮像素子、１６は撮像素子１４のアナログ信号出力をディジタル信号に変換するＡ／Ｄ変換器である。
【００１９】
タイミング発生回路１８は撮像素子１４、Ａ／Ｄ変換器１６、Ｄ／Ａ変換器２６にクロック信号や制御信号を供給し、メモリ制御回路２２及びシステム制御回路５０により制御される。
画像処理回路２０は、Ａ／Ｄ変換器１６からのデータ或いはメモリ制御回路２２からのデータに対して所定の画素補間処理や色変換処理を行う。
【００２０】
また、画像処理回路２０においては、撮像した画像データを用いて所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２２】
画像表示メモリ２４に書き込まれた表示用の画像データは、Ｄ／Ａ変換器２６を介してＬＣＤや有機ＥＬディスプレイ等の画像表示部２８により表示される。撮像した画像データを画像表示部２８で逐次表示すれば、電子ファインダー機能を実現することが可能である。
また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００２３】
メモリ３０は撮影した静止画像や動画像を格納する記憶装置であり、所定枚数の静止画像や所定時間の動画像を格納するのに十分な記憶容量を備えている。そのため、複数枚の静止画像を連続して撮影する連写撮影やパノラマ撮影の場合にも、高速かつ大量の画像書き込みをメモリ３０に対して行うことが可能となる。
また、メモリ３０はシステム制御回路５０の作業領域としても使用することが可能である。
【００２４】
圧縮・伸長回路３２は、メモリ３０に格納された画像を読み込んで、適応離散コサイン変換（ＡＤＣＴ）、ウェーブレット変換等を用いた周知のデータ圧縮処理或いは伸長処理を行い、処理を終えたデータをメモリ３０に書き込む。
【００２５】
暗号／復号回路３４は、撮影してメモリ３０の所定領域に記憶した画像データに対して必要に応じて暗号化処理を行うと共に、暗号化処理を行ってメモリ３０の所定領域に記憶した画像データを再生表示する際に復号化処理を行う。
【００２６】
なお、暗号化処理を行った画像データは、アンテナ１１２、１１６を介して通信可能な図示しない画像情報管理装置（画像ゲートウェイ）が備える暗号／復号部においても復号することが出来る。これらの暗号／復号処理動作は、画像情報管理装置（画像ゲートウェイ）の備える課金管理部での課金データベース情報と連携して実行される。
露光制御部４０は絞り機能を備えるシャッター１２を制御するとともに、フラッシュ４８と連携することによりフラッシュ調光機能も有する。
【００２７】
測距制御部４２は撮影レンズ１０のフォーカシングを制御し、ズーム制御部４４は撮影レンズ１０のズーミングを制御する。バリア制御部４６は撮影レンズ１０の保護を行うためのレンズバリアである保護部１０２の動作を制御する。
フラッシュ４８は撮影時の補助光源として機能し、調光機能も有する。また、ＡＦ補助光の投光機能も有する。
【００２８】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
システム制御回路５０は例えばＣＰＵであり、メモリ５２や不揮発性メモリ５６に記憶されたプログラムを実行することにより撮像装置１００全体を制御する。メモリ５２はシステム制御回路５０の動作用の定数、変数、プログラム等を記憶する。
【００２９】
表示部５４は例えばＬＣＤやＬＥＤ、スピーカ等の出力装置の組み合わせにより構成され、システム制御回路５０でのプログラムの実行に応じて、文字、画像、音声等を用いて動作状態やメッセージ等を出力する。表示部５４は撮像装置１００の操作部７０近辺の視認し易い位置に、単数或いは複数設置される。また、表示部５４の一部は光学ファインダー１０４内に設置されている。
【００３０】
表示部５４の表示内容としては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付け・時刻表示、外部コンピュータとの接続状態を示す表示、合焦表示、撮影準備完了表示、手振れ警告表示、フラッシュ充電表示、フラッシュ充電完了表示、記録媒体書き込み動作表示、マクロ撮影設定通知表示、二次電池充電状態表示、等がある。この一部は光学ファインダー１０４内に表示される。
【００３１】
そして、表示部５４の表示内容のうち、ＬＥＤ等の発光素子で表示するものとしては、例えば、セルフタイマー通知ランプ、等がある。このセルフタイマー通知ランプは、ＡＦ補助光と共用して用いても良い。
【００３２】
不揮発性メモリ５６は電気的に消去・記録可能なメモリであり、例えばＥＥＰＲＯＭ、フラッシュメモリ等が用いられる。不揮発性メモリ５６には、各種設定値やシステム制御回路５０が実行するプログラム、データなどが記憶される。後述する、精度優先で撮影すべき撮影モードの種別や条件も不揮発性メモリ５６に予め、又はユーザによる設定の結果記憶されている。
【００３３】
識別情報格納部５８は、通信部１１０及び１１４、アンテナ１１２及び１１６によって、パケット網等の通信ネットワークを介して図示しない画像情報管理装置（画像ゲートウェイ）と通信を行う際に認証を行うための識別情報、撮影画像データの格納／取り出しを行う際に課金管理を行うための各種識別情報等の識別情報が格納されている。
これらの識別情報は、図示しない画像情報管理装置（画像ゲートウェイ）において、撮像装置１００に対して各種サービスを行う際の課金情報データベースを更新する際に用いられる。
【００３４】
メインスイッチ６０、シャッタースイッチ６２及び６４、操作部７０及びモードダイヤル７２は、システム制御回路５０の各種の動作指示を入力するための操作手段を構成し、ボタン、スイッチ、ダイアル、タッチパネル、視線検知によるポインティング、音声認識装置等の単数或いは複数の組み合わせで構成される。
【００３５】
ここで、これらの操作手段の具体的な説明を行う。
電源スイッチ（メインスイッチ）６０は、撮像装置１００の電源オン、電源オフの各モードを切り替え設定することが出来る。また、撮像装置１００に接続された各種付属装置の電源オン、電源オフの設定も合わせて切り替え設定することが出来る。
【００３６】
シャッタースイッチＳＷ１（６２）は、撮像装置１００に設けられたシャッターボタン（図示せず）の操作途中（半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３７】
シャッタースイッチＳＷ２（６４）は、不図示のシャッターボタンの操作完了（全押し）でＯＮとなり、撮像素子１２から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００３８】
操作部７０は各種ボタンやタッチパネル等からなり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り替えを設定する選択／切り替えスイッチ、撮影及び或いは再生及び或いは通信を実行する際に各種機能の決定及び実行を設定する決定／実行スイッチ等がある。
【００３９】
圧縮モードスイッチは、ＪＰＥＧ(JointPhotographicExpertGpoup)圧縮の圧縮率を選択するため、或いは撮像素子の信号をそのままディジタル化して記録媒体に記録するＲＡＷモードを選択するためのスイッチである。
【００４０】
本実施形態において、ＪＰＥＧ圧縮のモードは、例えばノーマルモードとファインモードが用意されている。画像処理装置１００のユーザは、撮影した画像のデータサイズを重視する場合はノーマルモードを、撮影した画像の画質を重視する場合はファインモードを、それぞれ選択して撮影を行うことができる。
【００４１】
ＪＰＥＧ圧縮のモードに於いては、撮像素子１４から読み出されて、Ａ／Ｄ変換器１６、画像処理回路２０及びメモリ制御回路２２を介してメモリ３０に書き込まれた、画像データを読み出し、設定された圧縮率に圧縮・伸長回路３２によって圧縮した後、必要に応じて暗号／復号回路３４により所定の暗号化処理を行ない、記録媒体２００に記録を行う。
【００４２】
ＣＣＤＲＡＷモードでは、撮像素子１４の色フィルタの画素配列に応じて、ライン毎にそのまま画像データを読み出して、Ａ／Ｄ変換器１６及びメモリ制御回路２２を介してメモリ３０に書き込まれた画像データを読み出し、必要に応じて暗号／復号回路３４により所定の暗号化処理を行った後、記録媒体２００に記録を行う。
【００４３】
モードダイアルスイッチ７２は、例えば撮影／再生モード切替レバー、速度優先／通常測距・測光モード切替レバー、各種撮影モード（自動モード、スティッチ撮影モード（合成用画像撮影モード）、動画撮影モード）切替ダイヤルから構成される。
【００４４】
電源制御部８０は、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４５】
電源８６はアルカリ電池やリチウム電池等の一次電池やＮｉＣｄ電池やＮｉＭＨ電池、Ｌｉ電池等の二次電池、或いはＡＣアダプター等からなり、コネクタ８２及び８４によって撮像装置１００に取り付けられる。
【００４６】
９０はメモリカードやハードディスク等の記録媒体とのインタフェース、９２はメモリカードやハードディスク等の記録媒体２００と接続を行うコネクタである。
バリア１０２は、画像処理装置１００の、レンズ１０を含む撮像部を覆う事により、撮像部の汚れや破損を防止する。
【００４７】
光学ファインダ１０４は例えばＴＴＬファインダであり、プリズムやミラーを用いてレンズ１０を通じた光束を結像する。光学ファインダ１０４を用いることで、画像表示部２８による電子ファインダー機能を使用すること無しに撮影を行うことが可能である。また、上述したように、光学ファインダー１０４内には、表示部５４の一部の機能、例えば、合焦表示、手振れ警告表示、フラッシュ充電表示、シャッタースピード表示、絞り値表示、露出補正表示などの情報表示がなされる。
【００４８】
通信部１００は、例えば、ＴＤＭＡ（Time Division Multiple Access)方式やＣＤＭＡ(Code Division Multiple Access)方式、Ｗ−ＣＤＭＡ(Wideband Code Division Multiple Access)方式、ＰＨＳ(Personal Handyphone System)方式等の移動無線通信機能を有する。また、外部ネットワークと有線接続を行う場合、通信部は有線接続のプロトコルに応じた通信機能を提供する。
【００４９】
通信部１１０はアンテナ（或いは通信ケーブルを接続するコネクタ）１１２を用い、撮像装置１００を、図示しないパケット網、ネットワークを介して図示しない画像情報管理装置（画像ゲートウェイ）や他の機器と接続する。
【００５０】
もう１つの通信部１１４は、例えばＢｌｕｅｔｏｏｔｈなどの無線通信機能を有する。
また、通信部１１４は、ＲＳ２３２ＣやＵＳＢ(Universal Serial Bus)、ＩＥＥＥ(Instituteof Electrical and Electronics Engineers)１３９４、Ｐ１２８４、ＳＣＳＩ(Small Computer System Interface)、モデム、ＬＡＮ(Local Area Network)等の有線通信、ＩｒＤＡ(Infrared Data Association)などの赤外線通信、光通信等の各種通信機能を有する構成としても良い。
【００５１】
１１６は、通信部１１４により撮像装置１００を図示しない印刷装置（プリントサービス）等の他の機器と接続する際のアンテナ或いは有線通信の場合はコネクタである。
２００はメモリカードやハードディスク等の記録媒体である。
【００５２】
記録媒体２００は、半導体メモリや磁気ディスク等から構成される記録部２０２、撮像装置１００とのインタフェース２０４、撮像装置１００と接続を行うコネクタ２０６を備えている。なお、記録媒体２００は本実施形態では撮像装置１００に内蔵される構成として説明している。
【００５３】
＜撮像装置１００の動作説明＞
図２乃至図７を参照して、撮像装置１００の動作を説明する。
図２は撮像装置１００の全体動作を示すフローチャートである。
電池交換等により電源が装着されると、システム制御回路５０はフラグや制御変数等を初期化すると共に、撮像装置１００各部の初期化処理を行う（ステップＳ１００１）
【００５４】
システム制御回路５０は、電源スイッチ６０の設定位置を判断し（ステップＳ１００２）、電源スイッチ６０が電源ＯＦＦに設定されていたならば、各表示部の表示を終了状態に変更し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理（ステップＳ１００３）を行った後、ステップＳ１００２に戻る。
【００５５】
一方、ステップＳ１００２で電源スイッチ６０が電源ＯＮに設定されていたならば、ステップＳ１００４に進む。ここで、システム制御回路５０は、電池等により構成される電源８６の残容量や動作情況が撮像装置１００の動作に問題があるか否かを電源制御部８０により判断し、問題があるならば表示部５４及び或いは画像表示部２８を用いて画像や音声により所定の警告表示を行ない（ステップＳ１００５）、ステップＳ１００２に戻る。
【００５６】
ステップＳ１００４で電源８６に問題が無いならば、ステップＳ１０１０に進む。ここで、システム制御回路５０は、表示部５４を用いて画像や音声により撮像装置１００の各種設定状態を報知する。なお、画像表示部２８の画像表示がＯＮに設定されていれば、画像表示部２８も用いて画像や音声により撮像装置１００の各種設定状態の報知を行う。
【００５７】
次に、システム制御回路５０は、モードダイアル７２の設定位置を判断し（ステップＳ１０１１）、モードダイアル７２が撮影モードに設定されていなければ、ステップＳ１０１３に進む。
【００５８】
一方、モードダイアル７２が撮影モードに設定されていたならば、システム制御回路５０は、撮影モード処理を実行し（ステップＳ１０１２）、処理を終えたならばステップＳ１００２に戻る。この撮影モード処理（ステップＳ１０１２）の詳細は図３を用いて後述する。
【００５９】
ステップＳ１０１３で、システム制御回路５０は、モードダイアル７２の設定位置を判断し、モードダイアル７２が再生モードに設定されていなければ、ステップＳ１０１５に進み、モードダイヤル７２で設定されているモードの処理を必要に応じて行い、その後ステップＳ１００２に戻る。
【００６０】
一方、モードダイアル７２が再生モードに設定されていたならば、撮影した画像データの概略画像データ（例えばサムネイル画像）を表示する再生モード処理を実行し（ステップＳ１０１４）、処理を終えたならばステップＳ１００２に戻る。
【００６１】
＜撮影モード処理＞
次に、図３に示すフローチャートを用いて、図２におけるステップＳ１０１２で行う撮影モード処理の詳細を説明する。
システム制御回路５０は、操作部７０が備えるスイッチ等の操作により、ユーザーによって撮影に関する各種設定の変更が行われたか否かを調べる（ステップＳ１１０１）。変更が行われた場合には、変更内容に応じて、撮影に関する動作設定を変更する（ステップＳ１１０２）。
ステップＳ１１０３で、システム制御回路５０は、シャッタースイッチＳＷ１（６２）がＯＮしていなければ、撮影モード処理を終了する。
【００６２】
一方、シャッタースイッチＳＷ１（６２）がＯＮしていたならば、システム制御回路５０は、測距処理を行って撮影レンズ１０の焦点を被写体に合わせ、測光処理を行って絞り値及びシャッター時間を決定する（ステップＳ１１０４）。測光処理に於いて、必要であればフラッシュの設定も行う。この測距・測光処理（ステップＳ１１０４）の詳細は図４を用いて後述する。
【００６３】
その後、シャッタースイッチＳＷ２（６４）がＯＮしたか否かをステップＳ１１０５で調べる。ＯＦＦであればステップＳ１１０６へ進み、ステップＳ１１０３と同様にシャッタースイッチＳＷ１（６２）がＯＮであるか調べる。シャッタースイッチＳＷ２（６４）がＯＮせずに、シャッタースイッチＳＷ１（６２）がＯＦＦの状態に戻ったならば、撮影モード処理を終了する。ステップＳ１１０６でシャッタースイッチＳＷ１（６２）がＯＮを保っていればステップＳ１１０５へ戻る。
【００６４】
ステップＳ１１０５で、シャッタースイッチＳＷ２（６４）がＯＮしたならば、システム制御回路５０は、撮像素子１２、Ａ／Ｄ変換器１６、画像処理回路２０及びメモリ制御回路２２を介して、或いはＡ／Ｄ変換器１６から直接メモリ制御回路２２を介して、撮影した画像データをメモリ３０に書き込む露光処理、及び、メモリ制御回路２２そして必要に応じて画像処理回路２０を用いて、メモリ３０に書き込まれた画像データを読み出して各種処理を行う現像処理からなる撮影処理を実行する（ステップＳ１１０７）。この撮影処理（ステップＳ１１０７）の詳細は図７を用いて後述する。
【００６５】
撮影処理Ｓ１１０７を終えたならば、システム制御回路５０は、メモリ３０に書き込まれた撮影画像データを読み出して、メモリ制御回路２２そして必要に応じて画像処理回路２０を用いて所定の画素補間処理や色変換処理等の現像処理を行い、現像処理を行った画像データをメモリ３０の所定領域に格納して（ステップＳ１１０８）、ステップＳ１１０９に進む。
【００６６】
システム制御回路５０は、メモリ３０の所定領域に格納された画像データを読み出し、圧縮・伸長回路３２を用いて、設定したモードに応じた画像圧縮処理を行う圧縮処理を行った後、圧縮処理を行った画像データをメモリ３０の所定領域に格納して（ステップＳ１１０９）、ステップＳ１１１０に進む。
【００６７】
システム制御回路５０は、メモリ３０の所定領域に格納された圧縮処理を行った画像データを読み出し、暗号／復号回路３４を用いて所定の暗号化処理を行い（ステップＳ１１１０）、処理を行った画像データをメモリ３０の所定領域に格納して、ステップＳ１１１１に進む。
【００６８】
（測距・測光処理）
ここで、図４に示すフローチャートを用いて、図３におけるステップＳ１１０４で行う測距・測光処理の詳細を説明する。
まず、測距・測光モード切替レバーの現在の設定が、速度優先測距・測光か通常優先測距・測光かを判定する（ステップＳ１２０１）。通常優先測距・測光の場合は、通常優先測距・測光を行う（ステップＳ１２０６）。
【００６９】
一方、速度優先測距・測光の場合、操作部７０の単写／連写／セルフタイマー切り替えボタンがセルフタイマーに設定されているかか判定する（ステップＳ１２０２）。セルフタイマー設定の場合は、ステップＳ１２０６へ進み、通常優先測距・測光を行う。セルフタイマー設定されていない場合には、次に撮影モード切替ダイヤルがスティッチ撮影モードに設定されているか判定する（ステップＳ１２０３）。スティッチ撮影モードの場合は、ステップＳ１２０６へ進み、通常優先測距・測光を行う。
【００７０】
スティッチ撮影モードが設定されていなければ、次に撮影モード切替ダイヤルが動画撮影モードに設定されているか判定する（ステップＳ１２０４）。動画撮影モードの場合はステップＳ１２０６へ進み、通常優先測距・測光を行う。
【００７１】
動画撮影モードが設定されていなければ、次に操作部７０でマクロボタンが設定されているか判定する（ステップＳ１２０５）。マクロボタンが設定されている場合は、ステップＳ１２０６へ進み通常優先測距・測光を行う。
【００７２】
マクロボタンが設定されていなければ、ステップＳ１２０８へ進み速度優先測距・測光を行う。
ステップＳ１２０６での通常測距・測光処理又はステップＳ１２０８での速度優先測距・測光処理を行ったら、測距・測光処理を終了する。
【００７３】
（通常測距・測光処理）
図５は、図４のステップＳ１２０６で行う通常測距・測光処理の詳細を示すフローチャートである。
まず、システム制御回路５０は、例えばＣＣＤからなる撮像素子１４から電荷信号を読み出し、Ａ／Ｄ変換器１６を介して画像処理回路２０に撮影画像データを逐次読み込む（Ｓ１３０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行う。
【００７４】
なお、これら各処理では、撮影した全画素数分の画像データのうち、必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードなど、異なる処理モード毎に最適な演算を行うことが可能となる。
【００７５】
そして、システム制御回路５０は、画像処理回路２０での演算結果を用いて、ＡＦ処理に必要な露出（ＡＥ）制御を行う（ステップＳ１３０２）。ＡＦ処理用ＡＥ制御で得られた測定データを用いて、システム制御回路５０は測距（ＡＦ）が合焦と判断されるまで、測距制御部４２を用いてＡＦ制御を行う（ステップＳ１３０３→ステップＳ１３０４）。
【００７６】
測距が合焦と判断されると、次にシステム制御回路５０は、画像処理回路２０での演算結果を用いて、露出（ＡＥ）が適正と判断されるまで、露光制御部４０を用いてＡＥ制御を行う（ステップＳ１３０５→ステップＳ１３０６）。また、ステップＳ１３０６のＡＥ制御で得られた測定データを用いて、システム制御回路５０はフラッシュが必要か否かを判断し（ステップＳ１３０７）、フラッシュが必要ならば例えばメモリ５２の所定領域にフラッシュフラグをセットし、フラッシュ４８を充電する（ステップＳ１３０８）。
【００７７】
ステップＳ１３０５で露出（ＡＥ）が適正と判断されたならば、測定データ及び／又は設定パラメータをシステム制御回路５０の内部メモリ或いはメモリ５２に記憶する。
【００７８】
次にシステム制御回路５０は、画像処理回路２０での演算結果及びＡＥ制御で得られた測定データを用いて、ホワイトバランス（ＡＷＢ）が適正と判断されるまで、画像処理回路２０を用いて色処理のパラメータを調節してＡＷＢ制御を行う（ステップＳ１３０９→ステップＳ１３１０）。
【００７９】
ステップＳ１３０９でホワイトバランス（ＡＷＢ）が適正と判断されたならば、測定データ及び或いは設定パラメータをシステム制御回路５０の内部メモリ或いはメモリ５２に記憶し、通常測距・測光処理を終了する。
【００８０】
（速度優先測距・測光処理）
図６は、図４のステップＳ１２０８で行う速度優先測距・測光処理の詳細を示すフローチャートである。図６において、図５と同じ処理ステップには同じ参照数字を付した。
図６と図５との比較から明らかなように、本実施形態における速度優先測距・測光処理は通常測距・測光処理からＡＦ制御処理（ステップＳ１３０３，Ｓ１３０４）とＡＷＢ処理（ステップＳ１３０９，Ｓ１３１０）を省いたものである。従って、速度優先測距・測光処理を行った場合、通常測距・測光処理と比較して合焦精度や色調精度が劣る代わり、処理時間が短い。
【００８１】
図６の各ステップでの処理は図５の説明において行った通りであるため、個々ステップの説明は省略する。
図６において、ステップＳ１３０５で露出（ＡＥ）が適正と判断されたならば、測定データ及び／又は設定パラメータをシステム制御回路５０の内部メモリ或いはメモリ５２に記憶し、速度優先測距・測光処理を終了する。
【００８２】
（撮影処理）
図７は、図３のステップＳ１１０７で行う撮影処理の詳細を示すフローチャートである。
まず、システム制御回路５０は、システム制御回路５０の内部メモリ或いはメモリ５２に記憶されている測光データに従い、露光制御部４０によって、絞り機能を有するシャッター１２を絞り値に応じて開放して撮像素子１０を露光する（ステップＳ１５０１、Ｓ１５０２）。
【００８３】
次に、メモリ５２の所定領域を参照し、フラッシュフラグがセットされているかを調べ（ステップＳ１５０３）、フラッシュフラグがセットされている場合にはフラッシュを発光させる（ステップＳ１５０４）。
【００８４】
システム制御回路５０は、測光データに従って撮像素子１２の露光終了を待ち（ステップＳ１５０５）、シャッター１２を閉じて（ステップＳ１５０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（ステップＳ１５０７）。
【００８５】
次に、クイックレビュー機能が設定されているか否かを判断し（ステップＳ１５０８）、設定されている場合は、再生モード処理を行い、撮影した画像を表示部５４に表示する（ステップＳ１５０９）。
一連の処理を終えたならば、撮影処理を終了する。
【００８６】
以上のように、本実施形態によれば、速度優先の撮影設定がなされている場合に、即時性が必要のないセルフタイマー撮影、スティッチ撮影や、精度を優先しないと撮影が難しいマクロ撮影を行う場合には、自動的に通常の（換言すれば精度優先の）撮影設定に従って撮影を行うため、ユーザが本当に速度優先で撮影を希望する場合には即時性の高い撮影が、またそれ以外の撮影を行う場合には精度の高い撮影が、ユーザが設定を意識することなく可能となる。
【００８７】
＜他の実施形態＞
また、上述の実施形態では、速度優先撮影設定（速度優先測距・測光処理設定）がなされている場合に、自動的に精度優先撮影設定（通常測距・測光処理設定）に従った撮影を行う撮影モードとして、セルフタイマー撮影、スティッチ撮影、動画撮影、マクロ撮影を用いた場合のみを説明したが、精度を優先すべき、もしくは速度を優先する必要のない任意の撮影モードを任意の数適用可能である。上述した以外に適用可能な撮影モードの例としては、インターバル撮影、３Ｄ撮影等を挙げることができる。
【００８８】
また、上述の実施形態では、速度優先撮影設定時において、特定の撮影モードで精度優先設定とする場合を説明したが、反対に精度優先撮影が設定されている状態で、特定の撮影モードでは速度優先撮影設定とすることも可能である。この場合、図４におけるステップＳ１２０１では精度優先であるか否かを判定し、ステップＳ１２０２〜Ｓ１２０５で精度優先とすべき撮影モードであるか否かを判定するとともに、ステップＳ１２０６とステップＳ１２０８とを入れ替えればよい。速度を優先すべき撮影モードとしては、例えば連写モード、スポーツ撮影モードがある。
【００８９】
また、速度優先撮影設定時において、特定の撮影モードの設定もしくは撮影を禁止させることや、精度優先撮影設定時に特定の撮影モードの設定もしくは撮影を禁止させることも容易に実現できる。
【００９０】
また、前述した実施形態の機能を実現するソフトウェアのプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００９１】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００９２】
その場合、プログラムの機能を有していれば、オブジェクトコード、インタプリタにより実行されるプログラム、ＯＳに供給するスクリプトデータ等、プログラムの形態を問わない。
【００９３】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００９４】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００９５】
つまり、本発明の機能処理をコンピュータで実現するためのプログラムデータファイルを複数のユーザに対してダウンロードさせるサーバ装置も本発明に含む。
【００９６】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００９７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００９８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【図面の簡単な説明】
【００９９】
【図１】本発明の実施形態に係る撮像装置の構成例を示すブロック図である。
【図２】本発明の実施形態に係る撮像装置の全体処理を説明するフローチャートである。
【図３】図２における撮影モード処理の詳細を示すフローチャートである。
【図４】図３における測距・測光処理の詳細を示すフローチャートである。
【図５】図４における通常測距・測光処理の詳細を示すフローチャートである。
【図６】図４における速度優先測距・測光処理の詳細を示すフローチャートである。
【図７】図３における撮影処理の詳細を示すフローチャートである。
【符号の説明】
【０１００】
１０：撮影レンズ
１２：シャッター
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２８：画像表示部
３０，５２：メモリ
３２：画像圧縮・伸長回路
３４：暗号／複合回路
３６：課金管理部
４０：露光制御部
４２：測距制御部
４４：ズーム制御部
４６：バリア制御部
４８：フラッシュ
５０：システム制御回路
５４：表示部
５６：不揮発性メモリ
５８：識別情報
６０：電源スイッチ（メインスイッチ）
６２：シャッタースイッチＳＷ１
６４：シャッタースイッチＳＷ２
７０：操作部
７２：モードダイアルスイッチ
８０：電源制御部
８６：電源
９０，２０４：インタフェース
８２，８４，９２，２０６：コネクタ
１００：撮像装置
１０２：保護部
１０４：光学ファインダ
１１０，１１４：通信部
１１２，１１６：アンテナ
２００：記録媒体
２０２：記録部
【図１】
2005117242.tif 000003
【図２】
2005117242.tif 000004
【図３】
2005117242.tif 000005
【図４】
2005117242.tif 000006
【図５】
2005117242.tif 000007
【図６】
2005117242.tif 000008
【図７】
2005117242.tif 000009